(57)【要約】【課題】２つの排気ファンを設ける場合において、排気ファンの設置空間の省スペース化を図る。【解決手段】装置内の気流を装置外へと排出する第１、及び第２排気ファンと、前記第１、及び第２排気ファンの間に設けられる遮蔽部と、を備え、前記第１、及び第２排気ファンは、回転軸方向に互いに一部分、対向するように配置されており、前記遮蔽部は、前記第１排気ファンから、前記第２排気ファンへの気流の吸引を防止するように設けられている。【選択図】図４
2014095812.tif 000002
【特許請求の範囲】
【請求項１】
装置内の気流を装置外へと排出する第１、及び第２排気ファンと、
前記第１、及び第２排気ファンの間に設けられる遮蔽部と、
を備え、
前記第１、及び第２排気ファンは、回転軸方向に互いに一部分、対向するように配置されており、
前記遮蔽部は、前記第１排気ファンから、前記第２排気ファンへの気流の吸引を防止するように設けられている
ことを特徴とする画像投射装置。
【請求項２】
前記第１、及び第２排気ファンは、前記画像投射装置の横方向に対して、それぞれ画像を投射する投射部とは反対側を向くように斜めに配置されている
ことを特徴とする請求項１に記載の画像投射装置。
【請求項３】
前記第１、及び第２排気ファンは、互いに平行に配置されている
ことを特徴とする請求項１に記載の画像投射装置。
【発明の詳細な説明】
【技術分野】
【０００１】
本発明は、画像投射装置に関する。
【背景技術】
【０００２】
従来より、パソコンやビデオカメラ等からの画像データをもとに、光源から出射される光を用いて画像形成部において投影用の画像を生成し、生成した画像をスクリーンなどの被投射面に投射して表示する画像投射装置が知られている。画像投射装置においては、大画面に画像を投影できること、及び画像投射装置と、披投射面との間の距離を可能な限り短くできることが望まれており、短投影距離に対応した画像投射装置が開示されている。
【０００３】
画像投射装置にあっては、装置内で発生する熱気を装置外へと排出するための排気ファンが設けられている。排気ファンは、通常縦横比が１：１のフィンを回転させて空気の流れを作ることから、大型であればあるほど排気能力が大きくなるが、大きさは装置の厚みによって規定されてしまうため、薄型の画像投射装置にあっては、排気ファンを大型化できない場合がある。このような場合に、特許文献１に記載の画像投射装置にあっては、排気ファンを２つ設けることにより、熱を各ファンに分散させ、排気能力の向上を図っている。
【発明の概要】
【発明が解決しようとする課題】
【０００４】
しかしながら、上述のように排気ファンを２つ設ける場合であっても、排気ファンを２つ並列に並べる場合は、排気ファンの配設に必要な横方向のスペースが大きくなり、排気ファンを設けるためのスペースが確保できない場合がある。特許文献１に記載の画像投射装置の排気ファンの配置角度をより鋭角にすることで、横方向のスペースを小さくすることはできるが、その場合互いの排気ファンの間で乱流が発生しやすくなり騒音などの原因となる可能性がある。
【０００５】
本発明は、上記に鑑みてなされたものであって、２つの排気ファンを設ける場合において、排気ファンの設置空間の省スペース化を図ることを目的とする。
【課題を解決するための手段】
【０００６】
上述した課題を解決し、目的を達成するために、本発明の画像投射装置は、装置内の気流を装置外へと排出する第１、及び第２排気ファンと、前記第１、及び第２排気ファンの間に設けられる遮蔽部と、を備え、前記第１、及び第２排気ファンは、回転軸方向に互いに一部分、対向するように配置されており、前記遮蔽部は、前記第１排気ファンから、前記第２排気ファンへの気流の吸引を防止するように設けられていることを特徴とする。
【発明の効果】
【０００７】
本発明によれば、２つの排気ファンを設ける場合において、排気ファンの設置空間の省スペース化を図ることができるという効果を奏する。
【図面の簡単な説明】
【０００８】
【図１】図１は、実施形態のプロジェクタの斜視図である。
【図２】図２は、実施形態のプロジェクタの上方カバーを取り外した状態を示す斜視図である。
【図３】図３は、実施形態の光学装置、光源装置の断面図である。
【図４】図４は、実施形態の吸気から排気までの気流の流れを示す説明図である。
【図５】図５は、実施形態の２つの排気ファンの設置態様を示す説明図である。
【図６】図６は、実施形態の光学装置を気流が吸引される側からみた側面図である。
【図７】図７は、実施形態の光学装置を気流が放出される側からみた側面図である。
【発明を実施するための形態】
【０００９】
以下、本発明の画像投射装置をプロジェクタに具体化した実施形態について図面を用いて説明する。図１は、プロジェクタ１の斜視図であり、図２は、プロジェクタ１から上方カバー２を取り外した状態を示す斜視図である。
【００１０】
図１、図２に示されるように上方カバー２には、投射レンズ３（投射部）が設けられている。投射レンズ３は、最終的に被投影面に投影される映像や画像のデータの拡大倍率を変更することができる。また、プロジェクタ１の筐体を構成する本体部１０には、光学装置２０、光源装置３０、スピーカユニット４０、ハウジング部５０、吸気部６０、排気部７０が設けられている。
【００１１】
図３は、光学装置２０、及び光源装置３０の詳細な構成を示す断面図である。図３に示されるように、光学装置２０は、照明光学系２０ａ、及び投射系２０ｂを備える。光学装置２０は、カラーホイール２５、ライトトンネル２６、リレーレンズ２７ａ、２７ｂ、平面ミラー２８、凹面ミラー２９を備えている。これらの各部材は、光学装置２０の本体部内に設けられている。また、光学装置２０には、画像形成部２１が設けられている。画像形成部２１は、画像を形成する画像形成素子であるＤＭＤ素子により構成されている。
【００１２】
円盤状のカラーホイール２５は、光源装置３０からの白色光を単位時間毎にＲＧＢの各色が繰り返す光に変換してライトトンネル２６に向けて出射する。ライトトンネル２６は、板ガラスを張り合わせて筒状に構成されており、カラーホイール２５から出射された光をリレーレンズ２７へと導出する。リレーレンズ２７は、二枚のレンズ２７を組み合わせて構成されており、ライトトンネル２６から出射される光の軸上色収差を補正しつつ集光する。平面ミラー２８、及び凹面ミラー２９は、リレーレンズ２７により出射される光を反射して、画像形成部２１へと案内して、集光させる。画像形成部２１は、複数のマイクロミラーからなる矩形状のミラー面を有し、映像や画像のデータに基づいて各マイクロミラーが時分割駆動されることにより、所定の画像データを形成するように投射光を加工して反射するＤＭＤ素子を備えている。
【００１３】
また、光源装置３０は、高圧水銀ランプを光源として備えている。光源装置３０は光学装置２０の照明光学系２０ａに向けて白色光を照射する。照明光学系２０ａ内においては、光源装置３０から照射された白色光がＲＧＢに分光され、画像形成部２１へと導出される。そして、画像形成部２１は、変調信号に応じて画像形成を行い、投射系２０ｂが形成された画像を拡大投射する。
【００１４】
また、図３で示される画像形成部２１の図中手前側となる鉛直方向上方には、画像形成部２１に入射した光のうち、投射光としては使用しない不要な光を受光するＯＦＦ光板が設けられている。画像形成部２１に光が入射すると、ＤＭＤ素子の働きにより時分割で映像データに基づいて複数のマイクロミラーが作動し、このマイクロミラーによって使用する光は投射レンズ３へと反射され、捨てる光はＯＦＦ光板へと反射される。画像形成部２１では、投射画像に使用する光は投射系２０ｂへと反射され、複数の投射レンズ３を通って拡大され、拡大された映像光が拡大されて投射される。
【００１５】
続いて、図４、５を用いて、プロジェクタ１における吸気から排気の流れについて説明する。本実施形態には、排気部７０として２つの排気ファン７１、及び７２がそれぞれ設けられている。プロジェクタ１は、吸気部６０から吸気された気流７４の下流にあたる位置に遠心力ファン８０が設けられており、遠心力ファン８０は、気流７４を光源装置３０のハウジング３１の内部へと導入させ、光源装置３０の発光管３５を冷却させる。図６は、光源装置３０を気流が導入される側から見た場合を示す側面図である。図６に示されるように、光源装置３０のハウジング３１に形成される導入孔３６から各気流は導入される。
【００１６】
また、図７は、図６は、光源装置３０を気流が排気される側から見た場合を示す側面図である。図７に示されるように、発光管３５を冷却した気流７３の一部である気流７５は、光源装置３０のハウジング３１に形成された排気孔３２を通じて、第１排気ファン７１から筐体外に排気される。また、発光管３５を冷却した気流７３の一部である気流７６は、光源装置３０のハウジング３１に形成された排気孔３２を通じて、第２排気ファン７２から筐体外に排気される。また、吸気部６０により筐体内に取込まれた気流７７は電源回路９０、及び電源装置３０を冷却した後に、第２排気ファン７２により装置外に排出される。
【００１７】
また、図５に示されるように、第１排気ファン７１と、第２排気ファン７２はそれぞれプロジェクタ１の横方向に対してそれぞれ斜めに、互いにほぼ平行となるように配設されている。第１排気ファン７１と、第２排気ファン７２の排気の方向は、投射レンズ３とは反対側の方向を向くようになっている。これは、温度の高い排気によって、投射レンズ３から投影される投影画像に歪みが発生してしまうのを防止するためである。第１排気ファン７１と、第２排気ファン７２自体の横方向において、距離Ｌ分だけ、すなわち一部分が互いに対向するように設けられている。したがって、距離Ｌ分によって決定される横方向の配設スペースが削減されている。また、第１排気ファン７１と、第２排気ファン７２との間には、遮蔽部１００が設けられている。遮蔽部１００は、第１排気ファン７１によって排気された気流が、第２排気ファン７２に吸引されないように、気流を遮蔽している。遮蔽部１００の形状は、第１排気ファン７１と第２排気ファン７２との対向の度合いによって変更される。
【００１８】
以上に示した本実施形態のプロジェクタ１にあっては、第１排気ファン７１、第２排気ファン７２をそれぞれ対向して重なるように配置したことで、第１排気ファン７１、第２排気ファン７２の設置にかかる配置空間の省スペース化を図ることができるようになる。
【００１９】
また、第１排気ファン７１と第２排気ファン７２との間に、遮蔽部１００を設けることで、第１排気ファン７１から出力された気流が第２排気ファン７２に吸気されることにより生じる乱流を防ぐことができるようになる。
【００２０】
なお、上述した第１排気ファン７１、第２排気ファン７２はそれぞれ斜めに配置されていなくてもよく、少なくとも、互いに一部分が回転軸方向において対向するように設けられていればよい。また、排気ファンの数は３つ以上であってもよく、その場合少なくとも１対のファン同士が上述したように配置されていればよい。
【符号の説明】
【００２１】
１  プロジェクタ
２  上方カバー
３  投射レンズ
１０  本体部
２０  光学装置
２０ａ  照明光学系
２０ｂ  投射系
２１  画像形成部
２５  カラーホイール
２６  ライトトンネル
２７  リレーレンズ
２８  平面ミラー
２９  凹面ミラー
３０  光源装置
４０  スピーカユニット
５０  ハウジング部
６０  吸気部
７０  排気部
７１  排気ファン
７２  排気ファン
７３  気流
７４  気流
７５  気流
７６  気流
７７  気流
８０  遠心力ファン
９０  電源回路
１００  遮蔽部
【先行技術文献】
【特許文献】
【００２２】
【特許文献１】特開２００７−２５４０４号公報
【図１】
2014095812.tif 000003
【図２】
2014095812.tif 000004
【図３】
2014095812.tif 000005
【図４】
2014095812.tif 000006
【図５】
2014095812.tif 000007
【図６】
2014095812.tif 000008
【図７】
2014095812.tif 000009